(57)【要約】  【課題】  発熱体からベース板へ伝熱される発生熱を冷却流体の効果的な通流によって有効かつ適切に熱放散させるようにし、かつ該ベース板全体に対する発生熱の均熱化を図ることで、冷却性能を向上させ得るようにする。  【解決手段】  一方の面に発熱体１２を保持し、かつ他方の面に複数の放熱フィン１３を並設したベース板１１を設け、各放熱フィン１３，１３間に冷却流体の流路１４を形成させた上で、該各冷却流路１４に直交して複数のルーバー１５を配置させる。また、各ルーバー１５を冷却流体の導入側対応の導入側ルーバー群１５Ａと排出側対応の排出側ルーバー群１５Ｂとにブロック区分して、各導入側ルーバー１５Ａ１〜３に対しては冷却流体をベース板１１面に向け得る傾斜角度を付与させ、かつ各排出側ルーバー１５Ｂ１〜３に対しては冷却流体をベース板１１面から離し得る傾斜角度を付与させる。【選択図】  図１
2005079343.tif 000002
【特許請求の範囲】
【請求項１】
一方の面に発熱体を保持し、かつ他方の面に複数の放熱フィンを並設したベース板を設け、該ベース板の各放熱フィン間に冷却流体の流路を形成させた上で、該各冷却流路に直交して複数のルーバーを配置させたヒートシンクの構成において、
前記冷却流路の通流方向に沿わせて前記各ルーバーを単または複数列で複数段に配置させると共に、各ルーバーを冷却流体の導入側対応の導入側ルーバー群と排出側対応の排出側ルーバー群とにブロック区分して、導入側ルーバー群の各ルーバーに対しては冷却流体を前記ベース板面に向け得る傾斜角度を付与させ、かつ排出側ルーバー群の各ルーバーに対しては冷却流体をベース板面から離し得る傾斜角度を付与させたことを特徴とするルーバー付き放熱フィンを備えるヒートシンク。
【請求項２】
前記導入側ルーバー群の各導入側ルーバーと、排出側ルーバー群の各排出側ルーバーとの各ブロックが、該導入側と排出側とで略対称的に形成されていることを特徴とする請求項１に記載のルーバー付き放熱フィンを備えるヒートシンク。
【請求項３】
前記導入側ルーバー群の各導入側ルーバーと、排出側ルーバー群の各排出側ルーバーとの各ブロックが、前記冷却流路の通流方向に沿わせて複数段相応に連接配置されていることを特徴とする請求項１または２に記載のルーバー付き放熱フィンを備えるヒートシンク。
【請求項４】
前記ベース板には、ヒートパイプがほぼ全長に亘って埋設配置されていることを特徴とする請求項１ないし３のいずれか１項に記載のルーバー付き放熱フィンを備えるヒートシンク。
【請求項５】
前記ベース板に対して埋設されるヒートパイプでの放熱部側が、使用状態において、水平方向に対して上方になるように傾斜設定して用いられることを特徴とする請求項１ないし４のいずれか１項に記載のルーバー付き放熱フィンを備えるヒートシンク。
【請求項６】
前記ヒートパイプの放熱部側が、前記ベース板に対し、予め水平方向に対して上方側を向くように埋設配置されており、使用状態では、該ベース板を水平方向に維持させて用いるようにしたことを特徴とする請求項５に記載のルーバー付き放熱フィンを備えるヒートシンク。
【請求項７】
前記ヒートパイプが、前記ベース板に対し、予め水平方向に埋設配置されており、使用状態では、該ヒートパイプの放熱端部側が水平方向に対して上方になるように該ベース板を傾斜させて用いるようにしたことを特徴とする請求項５に記載のルーバー付き放熱フィンを備えるヒートシンク。
【発明の詳細な説明】
【技術分野】
【０００１】
本発明は、発熱体として主にＩＧＢＴなどの発熱素子を冷却するために用いられるヒートシンクに関し、さらに詳しくは、一方の面に発熱体を保持し、他方の面に放熱フィンを並設させたベース板を用い、該ベース板の各放熱フィン間に形成される冷却流体の各通流路にルーバーを配置させ、かつ該ベース板にヒートパイプを埋設して用いるようにしたルーバー付き放熱フィンを備えるヒートシンクの改良に係るものである。
【背景技術】
【０００２】
従来から、ＩＧＢＴなどの発熱素子を冷却するヒートシンクとしては、一方の面に発熱体を保持させたベース板を用い、該ベース板の他方の面に複数の放熱フィンを櫛形や格子形に配設して構成した比較的安価なヒートシンクが多用されている。しかし、この構成のヒートシンクでは、その放熱性能が必ずしも十分ではないので、特に、高発熱密度の半導体素子を効果的に冷却させる場合などには、その冷却性能を向上させるために、熱伝導性の高い銅製ヒートパイプによるヒートシンクを使用するとか、あるいはヒートパイプ作動液としてフロリナートを用いた沸騰冷却式のヒートシンクを使用するのが一般的である。
【０００３】
また、前記ベース板に並設させる各放熱フィン間に冷却流体の通流路を形成したヒートシンクにおいて、特許文献１に示されているように、冷却流路に直交して冷却流体の通流方向を規制するルーバーを配置させ、これによって放熱性能の向上を図った構成も既に提案されている。
しかしながら、前記櫛形ヒートシンクなどの場合には、その放熱時にあって放熱フィンの表面に冷却流体の比較的厚い境界層が形成されることになるため、必ずしも効率の良い放熱がなされないという不都合がある。
【０００４】
また、前記特許文献１のヒートシンクは、各放熱フィン間に配置するルーバーにより、冷却流体の流れをベース板側にのみ向けるように一方的に規制することで、該ベース板面での冷却流体の流速を増加させ、これによって冷却性能の向上を図るように意図しているのであるが、この場合には、排出側に対応する各ルーバーの多くが導入側に対応する多数の各ルーバーの影になってしまい、該各排出側ルーバーの影響を受けることになり、しかも、この点を救済する手段が全く講じられてはいないので、該各排出側ルーバーによるベース板面への冷却流体の導入が却って円滑にはなされず、併せて、このような排出側対応の各ルーバーにおける放熱効率の低下によって冷却性能もまたさほどには向上されないという問題点があった。
【０００５】
一方、前記高発熱密度の素子冷却を行なう場合でのフロリナートを用いる沸騰冷却式ヒートシンクにおいては、その全体的構成が複雑化されて高価であり、かつ冷媒として温暖化係数の大きいフロリナートを使っているため、比較的良好な冷却性能を得られるのではあるが、環境悪化の問題を生じ易く、その使用が年々敬遠されつつある。
【０００６】
また、ヒートパイプを用いるヒートシンクでは、発生熱をベース板からヒートパイプに配した放熱フィンに伝熱させて熱放散を図るのであるが、該ヒートシンク自体の高さが比較的低くされた構成の場合、すなわち、フィンを配したヒートパイプにおける放熱部の長さ寸法が比較的短い構成では、該ヒートパイプから放熱フィンへの効率的な熱伝導性に欠けることになり、このため、熱放散が十分にはなされないという不利がある。
【０００７】
そして、この構成のヒートシンクでは、冷却流体として冷却水を用いる場合、使用場所での外気温度が氷点下にまで達すると、該ヒートパイプ内の冷却水が放熱部側で凍結して受熱部側に還流しなくなる惧れを生ずるため、ヒートパイプとしての本来の機能を果たせなくなるという欠点もあり、これに加えて、ヒートパイプ自体がベース板面の外部にむき出しになっていることから、使用中や輸送中などにおける内部冷却水の凍結で該むき出し部分が破壊されてしまうという問題点もあった。
【０００８】
【特許文献１】特開２００１−１１８９７２号公報
【発明の開示】
【発明が解決しようとする課題】
【０００９】
従って、本発明の目的は、発熱体からベース板へ伝熱される発生熱を冷却流体の効果的な通流によって有効かつ適切に熱放散させるようにし、かつ該ベース板全体に対する発生熱の均熱化を図ることで、冷却性能を向上させ得るようにしたルーバー付き放熱フィンを備えるヒートシンクを提供することである。
【課題を解決するための手段】
【００１０】
上記目的を達成するため、本発明に係る請求項１に記載の発明は、一方の面に発熱体を保持し、かつ他方の面に複数の放熱フィンを並設したベース板を設け、該ベース板の各放熱フィン間に冷却流体の流路を形成させた上で、該各冷却流路に直交して複数のルーバーを配置させたヒートシンクの構成において、
前記冷却流路の通流方向に沿わせて前記各ルーバーを単または複数列で複数段に配置させると共に、各ルーバーを冷却流体の導入側対応の導入側ルーバー群と排出側対応の排出側ルーバー群とにブロック区分して、導入側ルーバー群の各ルーバーに対しては冷却流体を前記ベース板面に向け得る傾斜角度を付与させ、かつ排出側ルーバー群の各ルーバーに対しては冷却流体をベース板面から離し得る傾斜角度を付与させたことを特徴としている。
【００１１】
本発明の請求項１のルーバー付き放熱フィンを備えるヒートシンクでは、導入側ルーバー群の各ルーバーによってベース板面への冷却流体の取り込みが良好かつ適切になされると共に、排出側ルーバー群の各ルーバーによって該冷却流体の取り出しも円滑になされることになり、しかも、その流速が増加されるので、各放熱フィンの表面に形成され勝ちな冷却流体の境界層を可及的に薄くさせ得るため、該各放熱フィンから発生熱を効率よく放熱させ得る。そして、上流側対応の各ルーバー（導入側の各ルーバー）の影響を受けやすかった下流側対応の各ルーバー（排出側の各ルーバー）での放熱効率をも格段に向上させ得る。
【００１２】
本発明に係る請求項２に記載の発明は、前記請求項１のルーバー付き放熱フィンを備えるヒートシンクにおいて、
前記導入側ルーバー群と、排出側ルーバー群との各ブロックが、該導入側と排出側とで対称的に形成されていることを特徴としている。
【００１３】
本発明の請求項２のルーバー付き放熱フィンを備えるヒートシンクでは、例えば、電車などの走行車両の制御機器として使用する場合、走行方向の反転で、冷却流体である冷却風の取り入れ側が入れ替わっても、これにヒートシンク自体を容易に対応させ得る。
【００１４】
本発明に係る請求項３に記載の発明は、前記請求項１または２のルーバー付き放熱フィンを備えるヒートシンクにおいて、
前記導入側ルーバー群の各導入側ルーバーと、排出側ルーバー群の各排出側ルーバーとの各ブロックが、前記冷却流路の通流方向に沿わせて複数段相応に連接配置されていることを特徴としている。
【００１５】
本発明の請求項３のルーバー付き放熱フィンを備えるヒートシンクでは、各導入側ルーバーと各排出側ルーバーとの各ブロックの組合せを冷却流路の通流方向に沿わせて複数段相応に連接配置させるので、その全体的な冷却性能をより一層向上させ得る。
【００１６】
本発明に係る請求項４に記載の発明は、前記請求項１ないし３の何れか１項のルーバー付き放熱フィンを備えるヒートシンクにおいて、
前記ベース板には、ヒートパイプがほぼ全長に亘って埋設配置されていることを特徴としている。
【００１７】
本発明の請求項４のヒートパイプを備えるヒートシンクでは、ベース板に対してヒートパイプをほぼ全長に亘って埋設させたので、発熱体の発生熱をベース板全体に均熱化でき、この結果、放熱フィンによる放熱作用を広範囲に亘り有効に働かせて冷却性能の向上を容易に図り得る。
【００１８】
また、ヒートパイプがほぼ全長に亘ってベース板に埋め込まれるから、起動時に該ヒートパイプ内の冷却水がたとえ凍結したとしても、該起動に伴うベース板自体の温度上昇で容易に溶けるため、ヒートパイプとしての機能が失なわれるようなことはなく、しかも、このようにヒートパイプがベース板内に埋め込まれ、その全長が外部にむき出しにされていないので、使用中あるいは輸送中などに内部の冷却水が凍結しても、パイプ自体の破壊の惧れが避けられる。
【００１９】
本発明に係る請求項５に記載の発明は、前記請求項１ないし４の何れか１項のルーバー付き放熱フィンを備えるヒートシンクにおいて、
前記ベース板に対して埋設されるヒートパイプでの冷却流体排出側対応の放熱部側が、使用状態において、水平方向に対して上方になるように傾斜設定して用いられることを特徴としている。
【００２０】
また、本発明に係る請求項６に記載の発明は、前記請求項５のルーバー付き放熱フィンを備えるヒートシンクにおいて、
前記ヒートパイプの放熱部側が、前記ベース板に対し、予め水平方向に対して上方側を向くように埋設配置されており、使用状態では、該ベース板を水平方向に維持させて用いるようにしたことを特徴としている。
【００２１】
また、本発明に係る請求項７に記載の発明は、前記請求項５のルーバー付き放熱フィンを備えるヒートシンクにおいて、
前記ヒートパイプが、前記ベース板に対し、予め水平方向に埋設配置されており、使用状態では、該ヒートパイプの放熱部側が水平方向に対して上方になるように該ベース板を傾斜させて用いるようにしたことを特徴としている。
【００２２】
本発明の請求項５および６、７の各ルーバー付き放熱フィンを備えるヒートシンクでは、使用状態におけるヒートパイプの冷却流体排出側に対応する放熱部側が、何れにしても上方になるように傾斜して位置されることになるので、該ヒートパイプ自体がいわゆるトップヒートにはなり難く、これによって熱輸送量が実質的に増加されるため、ベース板全体の均熱化効果が一層促進されて放熱性能を良好かつ効果的に向上させ得るのである。
【発明の効果】
【００２３】
以上、各実施形態によって詳述したように、本発明に係るルーバー付き放熱フィンを備えるヒートパイプによれば、一方の面に発熱体を保持し、かつ他方の面に複数の放熱フィンを並設したベース板を用い、各放熱フィン間に冷却流体の流路を形成させ、かつ各冷却流路に直交して複数のルーバーを配置させると共に、各ルーバーを冷却流体の導入側ルーバー群と排出側ルーバー群とにブロック区分して、導入側ルーバーに対しては冷却流体をベース板面に向け得る傾斜角度を付与させ、排出側ルーバーに対しては冷却流体をベース板面から離し得る傾斜角度を付与させたので、発熱体からベース板へ伝熱される発生熱を冷却流体の効果的な通流によって有効かつ適切に熱放散できるのであり、極めて簡単な構成であるのにも拘らず優れた放熱効果が得られる。
【００２４】
また、ベース板に対してヒートパイプをほぼ全長に亘って埋設させたので、発熱体の発生熱をベース板全体に均熱化でき、これによって放熱フィンによる放熱作用を広範囲に亘り有効に働かせて冷却性能の向上を図り得るのである。
【発明を実施するための最良の形態】
【００２５】
以下、本発明に係るルーバー付き放熱フィンを備えるヒートシンクの各別の実施形態につき、図１ないし図６を参照して詳細に説明する。
【００２６】
〔第１実施形態〕
図１は本第１実施形態を適用した櫛形ヒートシンクの基本的な概要構成を示すもので、同図１(a)は同上櫛形ヒートシンクでの各放熱フィンと該各放熱フィン間の各冷却流路を横切って配置される各ルーバーの相互関係を模式的に表わした全体斜視図、同図１(b)は該図１(a)の正面説明図であり、同図１(c)は同上櫛形ヒートシンクでの各ルーバー態様の別例による正面説明図である。
【００２７】
本第１実施形態を適用した櫛形ヒートシンク１０は、図１(a)、(b)に示す如く、発熱体としてのＩＧＢＴなどの発熱素子１２を一方の面に固定的に保持させたベース板１１を用い、該ベース板１１の他方の面に複数個の放熱フィン１３を並設させることで、各放熱フィン１３，１３間に対して放熱作用を得るための冷却流体（ここでは冷却空気）を通流させる冷却流路１４を形成させてあり、また、各放熱フィン１３，１３間のやや上方に偏った位置にあっては、各冷却流路１４に直交する方向、ひいては横切るようにして複数枚からなる各ルーバー１５を固定配置させてある。
【００２８】
そして、前記ベース板１１と各放熱フィン１３とは、両者の構成材料が共にアルミニウムまたはその合金であれば、アルミ押出し成形によって容易に一体化成形できるし、あるいはベース板１１に対して各放熱フィン１３をロウ付けや半田付け、もしくは溶接、カシメ付けなどによっても比較的簡単に製造し得る。
【００２９】
この場合、前記各ルーバー１５については、前記冷却流路１４の通流方向（流路方向）に沿わせることで、隣接する相互が一部重なるようにして単列（複数列も可）で６段に配置させてあり、かつ各ルーバー１５を冷却流体の導入側対応の導入側ルーバー群１５Ａと排出側対応の排出側ルーバー群１５Ｂとにブロック区分させた上で、導入側ルーバー群１５Ａの各ルーバー１５Ａ１〜３に対しては、冷却流体を前記ベース板１１面に向けて円滑に取り込み得る方向の好適な傾斜角度、例えば、５°〜４５°程度の範囲内の傾斜角度を付与させ、かつ排出側ルーバー群１５Ｂの各ルーバー１５Ｂ１〜３に対しては、冷却流体をベース板１１面から効率的に取り出して引き離し得る方向の傾斜角度、同様に５°〜４５°程度の範囲内の傾斜角度を付与させてある。
【００３０】
ここで、前記各ルーバー１５での各部の仕様設定に関しては、前記ベース板１１や各放熱フィン１３のサイズ、前記発熱素子１２の固定位置や発熱量、それに冷却流体の流量や流速などを勘案することで、該各ルーバー１５の段数や列数とか、配設箇所、与える傾斜角度を選択設定するのであるが、各ルーバー１５の傾斜角度としては、種々実験の結果、導入側および排出側共に、先に述べた如く、好ましくは５°〜４５°程度の範囲内に設定するのが効果的であり、この場合、該傾斜角度が５°以下であると冷却流体が出入りしにくく、また、４５°以上であっても該ルーバーの存在自体が抵抗要素になってしまうためである。さらに、導入側と排出側とで各ルーバー１５の段数やサイズ、傾斜角度などを必要に応じ変えて用いるのも一つの好ましい形態である。
【００３１】
また、前記各ルーバー１５を導入側と排出側とで対称的に設けることで、例えば、電車などの走行車両の制御機器として使用する場合でのように走行方向の反転で、冷却流体である冷却風の取り入れ側が入れ替わっても、これにヒートシンク自体を容易に対応させることができる。さらに、必要に応じては、図１(ｃ)に示す如く、導入側ルーバー群１５Ａの各ルーバー１５Ａ１〜３と、排出側ルーバー群１５Ｂの各ルーバー１５Ｂ１〜３との各ブロックを冷却流路の通流方向に沿わせて複数段相応に連接して配置させることで、全体的な冷却性能をより一層向上させることができるのである。尚、対称的とは概ね対称であれば良く、正対称でなくとも良い。
【００３２】
従って、本第１実施形態の場合、前記冷却流路１４の導入側から取り込まれる冷却流体は、図１(b)に矢印で示す如く、導入側ルーバー群１５Ａの各ルーバー１５Ａ１〜３によってベース板１１面への冷却流体の取り込みが効果的になされると共に、排出側ルーバー群１５Ｂの各ルーバー１５Ｂ１〜３によって該冷却流体の取り出しも円滑になされ、かつその流速も増加されるため、各放熱フィン１３の表面に生ずる冷却流体の境界層が可及的に薄くされて、該各放熱フィン１３に伝熱される発生熱を効率よく放熱させ得るのであり、しかも、上流側対応の各ルーバー（導入側の各ルーバー１５Ａ１〜３に対応）の影響を受けやすかった下流側対応の各ルーバー（排出側の各ルーバー１５Ｂ１〜３に対応）での放熱効率をも格段に向上させ得るのである。
【００３３】
〔第２実施形態〕
図２は本第２実施形態を適用した櫛形ヒートシンクの基本的な概要構成を示すもので、同図２(a)は同上櫛形ヒートシンクでの各放熱フィンと各ヒートパイプとをそれぞれ縦型にして用いる場合の外観態様を模式的に表わした全体斜視図であり、同図２(b)は該図２(a)の平面図、同図２(c)は該図２(a)の側面図である。図３は同上櫛形ヒートシンクでの各放熱フィンと各ヒートパイプとをそれぞれ横型にして用いる場合の外観態様を模式的に表わした全体斜視図、図４は同上櫛形ヒートシンクでの各放熱フィンを横型にし、かつ各ヒートパイプを縦型にして用いる場合の外観態様を模式的に表わした全体斜視図である。なお、これらの図２ないし図４の第２実施形態による構成において、上記図１の第１実施形態による構成と同一符号は同一または相当部分を示している。
【００３４】
本第２実施形態を適用した櫛形ヒートシンク１０においても、その基本的な構成は上記第１実施形態の場合とほぼ同様であって、図２(a)ないし(c)に示す如く、前記発熱素子１２を一方の面に固定保持させたベース板１１と、該ベース板１１の他方の面に並設させて各冷却流路１４を形成した各放熱フィン１３と、該各放熱フィン１３，１３間の各冷却流路１４に直交させて配置した各ルーバー１５とを有しており、本第２実施形態では、これらの構成に加え、前記ベース板１１に対してヒートパイプ２１をほぼ全長に亘って埋設配置させたものである。
【００３５】
そして、前記ベース板１１へのヒートパイプ２１の埋め込みについては、該ベース板１１に対して押出し成形時にヒートパイプ２１の埋め込み穴を形成しヒートパイプ２１を埋め、端部を半田などで埋め込むことで安価に製造できるのであるが、このほかにも、ベース板１１に適当する埋め込み溝を形成しておき、該埋め込み溝にヒートパイプ２１を装入させてから半田などで埋め込むようにしてもよい。
【００３６】
而して、本第２実施形態による櫛形ヒートシンク１０の構成では、前記ベース板１１に対してヒートパイプ２１をほぼ全長に亘って埋設配置させたので、発熱素子１２の発生熱をベース板１１の全体に分散させて均熱化させ得るために、前記放熱フィン１３による放熱作用を広範囲に亘って有効に働かせることで冷却性能の向上を容易に図り得るのである。
【００３７】
また、一方ではヒートパイプ２１がほぼ全長に亘ってベース板１１に埋め込まれるから、起動時にあって該ヒートパイプ２１内の冷却水がたとえ凍結したとしても、該起動に伴うベース板１１自体の温度上昇によって該凍結状態が容易かつ迅速に溶けるため、ヒートパイプ２１としての機能が失なわれるようなことは全くなく、しかも、このようにヒートパイプ２１がベース板１１内に埋め込まれ、その全長が外部にむき出しにされていないので、使用中あるいは輸送中などに内部の冷却水が凍結しても、パイプ自体が破壊する惧れを確実に避けられるのである。
【００３８】
〔第３実施形態〕
図５は本第３実施形態を適用した櫛形ヒートシンクの各別例による基本的な概要構成を示すもので、同図５(a)は同上櫛形ヒートシンクでの各放熱フィンと各ヒートパイプとをそれぞれ横型にした上で、各ヒートパイプを１°程度の比較的緩い傾斜角度で埋設配置して用いる場合の外観態様を模式的に表わした全体斜視図、同図５(b)は同上各ヒートパイプを１５°程度の比較的急な傾斜角度で埋設配置して用いる場合の全体斜視図である。なお、この図５の第３実施形態による構成においても、上記図１の第１実施形態および図２ないし図４の第２実施形態による構成と同一符号は同一または相当部分を示している。
【００３９】
本第３実施形態を適用した櫛形ヒートシンク１０は、上記第１実施形態において、前記ベース板１１に埋め込まれるヒートパイプ２１に所要の傾斜角度を与えることで冷却性能の一層の向上を図ったものである。すなわち、ヒートパイプ２１が水平に近付くことで、その熱輸送量が次第に低下するために、該ヒートパイプ２１の受熱部側を可能な限り下方に向け、かつ放熱部側を可及的上方に向けるように配置するのが好ましいのである。
【００４０】
この点を考慮して、本第３実施形態においては、前記ヒートパイプ２１での使用時に冷却流体排出側対応の放熱端部側を水平方向に対して上方になるように傾斜設定させた上で、前記ベース板１１に埋め込むようにするのである。この場合のベース板１１に対する傾斜角度としては、図５(a)に見られるように、ほぼ１°程度の比較的緩い傾斜角度にするか、あるいは図５(b)に見られるように、ほぼ１５°程度の比較的急な傾斜角度にすればよい。
【００４１】
従って、このようにベース板１１に対してヒートパイプ２１を傾斜させて埋め込んだ構成の第３実施形態による櫛形ヒートシンク１０では、使用状態におけるヒートパイプ２１の冷却流体排出側に対応する放熱端部側が、上方になるように傾斜して位置されるので、先に述べた発熱体の発生熱のベース板１１全体への均熱化がより一層顕著になされることになる。
【００４２】
〔第２、第３の各実施形態による櫛形ヒートシンクの使用態様〕
図６は前記第２実施形態による櫛形ヒートシンクと第３実施形態による櫛形ヒートシンクとの各使用態様を示すもので、同図６(a)は第２実施形態による櫛形ヒートシンクの使用態様例を表わした正面説明図、同図６(b)は第３実施形態による櫛形ヒートシンクの使用態様例を表わした正面説明図である。
【００４３】
上記第３実施形態による櫛形ヒートシンク１０においては、前記ベース板１１に対してヒートパイプ２１を傾斜させて埋め込むようにすることで、使用状態におけるヒートパイプ２１の放熱端部側を上方に位置させ、これによってベース板１１での全体の均熱化を図っているのであるが、同様な作用は、極めて当然なことながら、該ヒートパイプ２１を埋め込んだベース板１１（第２実施形態のヒートシンクに対応）のそれ自体を同一意図で傾斜させた状態に設置して使用しても容易に達成可能であり、また、この手段は第３実施形態に対しても、そのヒートパイプ２１の傾斜角度を調整するために応用可能である。
【００４４】
従って、これらを要約してみると、第２および第３の各実施形態による櫛形ヒートシンクでは、前記ヒートパイプ２１が、前記ベース板１１に対し、予め水平方向に埋設配置されている場合（第２実施形態）、使用状態においては該ヒートパイプ２１の高温部が水平方向に対して上方側を向くようにベース板１１を設置して用い、また、前記ヒートパイプ２１の放熱端部側が、前記ベース板１１に対し、予め水平方向に対して上方側を向くように埋設配置されている場合（第３実施形態）、使用状態においては該ベース板１１を水平方向に維持させて用いるようにするのであり、これらの何れの場合にあっても、使用状態におけるヒートパイプ２１の冷却流体排出側に対応する放熱端部側が上方になるように傾斜して位置されることになるので、該ヒートパイプ自体がいわゆるトップヒートにはなり難く、しかも、これによって熱輸送量が実質的に増加されるため、ベース板全体の均熱化効果が一層促進されて放熱性能を良好かつ効果的に向上させ得るのである。
【図面の簡単な説明】
【００４５】
【図１】本発明の第１実施形態を適用した櫛形ヒートシンクの基本的な概要構成を示すもので、同図１(a)は同上櫛形ヒートシンクでの各放熱フィンと該各放熱フィン間の各冷却流路を横切って配置される各ルーバーの相互関係を模式的に表わした全体斜視図、同図１(b)は該図１(a)の正面説明図であり、同図１(c)は同上櫛形ヒートシンクでの各ルーバー態様の別例による正面説明図である。
【図２】本発明の第２実施形態を適用した櫛形ヒートシンクの基本的な概要構成を示すもので、同図２(a)は同上櫛形ヒートシンクでの各放熱フィンと各ヒートパイプとをそれぞれ縦型にして用いる場合の外観態様を模式的に表わした全体斜視図であり、同図２(b)は該図２(a)の平面図、同図２(c)は該図２(a)の側面図である。
【図３】同上櫛形ヒートシンクでの各放熱フィンと各ヒートパイプとをそれぞれ横型にして用いる場合の外観態様を模式的に表わした全体斜視図である。
【図４】同上櫛形ヒートシンクでの各放熱フィンを横型にし、かつ各ヒートパイプを縦型にして用いる場合の外観態様を模式的に表わした全体斜視図である。
【図５】本発明の第３実施形態を適用した櫛形ヒートシンクの各別例による基本的な概要構成を示すもので、同図５(a)は同上櫛形ヒートシンクでの各放熱フィンと各ヒートパイプとをそれぞれ横型にした上で、各ヒートパイプを１°程度の比較的緩い傾斜角度で埋設配置して用いる場合の外観態様を模式的に表わした全体斜視図、同図５(b)は同上各ヒートパイプを１５°程度の比較的急な傾斜角度で埋設配置して用いる場合の全体斜視図である。
【図６】同上第２実施形態による櫛形ヒートシンクと第３実施形態による櫛形ヒートシンクとの各使用態様を示すもので、同図６(a)は第２実施形態による櫛形ヒートシンクの使用態様例を表わした正面説明図、同図６(b)は第３実施形態による櫛形ヒートシンクの使用態様例を表わした正面説明図である。
【符号の説明】
【００４６】
１０        ヒートシンク
１１        ベース板
１２        発熱素子（発熱体）
１３        放熱フィン
１４        冷却流路（冷却流体の通流路）
１５        ルーバー
１５Ａ      導入側ルーバー群
１５Ａ１〜３    導入側ルーバー
１５Ｂ      排出側ルーバー群
１５Ｂ１〜３    排出側ルーバー
２１        ヒートパイプ
【図１】
2005079343.tif 000003
【図２】
2005079343.tif 000004
【図３】
2005079343.tif 000005
【図４】
2005079343.tif 000006
【図５】
2005079343.tif 000007
【図６】
2005079343.tif 000008